(57)【要約】【課題】サムターン回しを防止すること。【解決手段】サムターン座構成部材に、駆動歯車を有すると共に、合鍵の操作によって所定量回動する駆動芯材部材と、前記駆動歯車に噛合する伝動歯車を備えたサムターンと、前記駆動芯材部材の駆動力によって施錠方向へ回動するように配設された従動ピニオンと、該従動ピニオンと噛合すると共に、前記サムターンに形成した被係合部と係脱可能な係合部を有する摺動ラックとをそれぞれ設け、外出時に合鍵を操作してシリンダ錠の内筒体を施錠方向へ回すと、前記駆動芯材部材の駆動力によりサムターンが所定量回動すると共に、ラックがサムターンに係合する方向へと摺動し、ラックの係合部がサムターンの被係合部に係止状態に係合することを特徴とする防犯サムターンのロック装置。【選択図】  図２
2005036418.tif 000002
【特許請求の範囲】
【請求項１】
サムターン座構成部材に、駆動歯車を有すると共に、合鍵の操作によって所定量回動する駆動芯材部材と、前記駆動歯車に噛合する伝動歯車を備えたサムターンと、前記駆動芯材部材の駆動力によって施錠方向へ回動するように配設された従動ピニオンと、該従動ピニオンと噛合すると共に、前記サムターンに形成した被係合部と係脱可能な係合部を有する摺動ラックとをそれぞれ設け、外出時に合鍵を操作してシリンダ錠の内筒体を施錠方向へ回すと、前記駆動芯材部材の駆動力によりサムターンが所定量回動すると共に、ラックがサムターンに係合する方向へと摺動し、ラックの係合部がサムターンの被係合部に係止状態に係合することを特徴とする防犯サムターンのロック装置。
【請求項２】
請求項１に於いて、室内からサムターンの摘み部１５ａを施錠方向へと操作した場合に於いて、伝動歯車１２を介して駆動芯材部材が回動しても、従動ピニオン９が回動しないように、該従動ピニオン９に駆動芯材部材５の駆動芯材６の挿入端部に対して周方向に所要の間隙１０ａを有する嵌合凹所１０が設けられていることを特徴とする防犯サムターンのロック装置。
【請求項３】
請求項１に於いて、駆動芯材部材５は、長杆状の駆動芯材６と、この駆動芯材６に一体的に外嵌合した状態でサムターンダルマ１１に一端部が設けられている共に、他端部に駆動歯車を一体的に備えたサムターンコア７とから成ることを特徴とする防犯サムターンのロック装置。
【請求項４】
請求項１に於いて、サムターンの被係合部１６は、摘み部１５ａの前面から突出する軸部に形成された切欠凹所であり、一方、ラックの係合部１８は、ラックの一端部に鉤状に形成された係合片であることを特徴とする防犯サムターンのロック装置。
【請求項５】
請求項１に於いて、サムターン座構成部材３０は、扉の内壁に取付けられるサムターンホルダ３１と、このサムターンホルダの内壁面に固定的に添設され、かつ、駆動芯材部材の他端部を嵌合状態で支持するサムターン蓋３２と、該サムターン蓋３２と結合すると共に、内部空間３４に前記駆動芯材部材の駆動歯車８、サムターンの伝動歯車１２、従動ピニオン９及びラック１７をカバーするケース状の座本体３３とから成ることを特徴とする防犯サムターンのロック装置。
【請求項６】
請求項１に於いて、座本体３３には、ラックの他側端に形成された小係合溝２２と係合するクリック手段４０用の収納凹所が水平方向に形成されていることを特徴とする防犯サムターンのロック装置。
【請求項７】
請求項１に於いて、サムターン座構成部材３０のケース状の座本体３３には、室内から従動ピニオンを操作することができる程度の緊急用開口が形成されていることを特徴とする防犯サムターンのロック装置。
【請求項８】
請求項７に於いて、緊急用開口には、補助蓋板が設けられていることを特徴とする防犯サムターンのロック装置。
【発明の詳細な説明】
【０００１】
【発明の属する技術分野】
本発明は、防犯サムターンのロック装置に関する。
【０００２】
【従来の技術】
錠前を施錠する場合、周知のように、室内・屋外から施錠することができる。室内から施錠する場合、「サムターン」と称されている「その摘み」を操作すると、錠前のデッドボルトがフロントから突出し、戸枠側の受け金具に入り込む（施錠状態）。
【０００３】
一方、外出時、屋外から施錠する場合、「キー」と称されている合鍵をシリンダに差込み、所定量回すと、前記摘みを回した時と同様に、デッドボルトがフロントから突出して施錠状態となる。
【０００４】
普通一般にシリンダとサムターンとは施・解錠の作動時に「連動」しており、キーを施錠方向に操作すると、シリンダ内筒体から突出しているシリンダ駆動軸に連動してサムターンも施錠方向へ回転する。一方、サムターンを施錠方向へ回転すると、これに連動して前記シリンダ駆動軸も回転する。
【０００５】
したがって、泥棒が七つ道具（例えば針金のようなもの）を利用して屋外から適宜にサムターンを回すと、錠前が解錠状態となる。
【０００６】
近年、マスコミにも報道されているように、「サムターン回し」という事件が多発している。サムターン回しの手口にも色々あるが、特に、屋外から針金のようなものを扉と床面等の隙間から差込み、テクニックを駆使してサムターンの摘み部を回された場合には、泥棒がいつの間に部屋に侵入したかのか判らないという事態が発生する。そこで、サムターン回しを防止するために、色々な実施例が日本国特許庁に提案されている。
【０００７】
ここで特許文献の一つを記載する。特開２００３−１２９７０２号公報は、摘み部の表面が半球面状に形成されているから、泥棒が針金のようなもので摘み部を掛止めして回そうとしても、掛止めが困難であることから、また、摘み部と係合する筒状のカラー体が空転することから、サムターン回しを防止することができるという利点がある。
【０００８】
しかし、この実施例では、例えば摘み部に関し、その機能上、デザイン上の制約を受けると共に、摘み部が半球面状なので掴み難いという問題点がある。また、サムターンの構成部品点数が増えるという問題点がある。
【０００９】
【発明が解決しようとする課題】
本発明の第１の目的は、外出時に、屋外からシリンダに合鍵を差し込んで施錠方向へ回すだけで、自動的にサムターンにロックがかかることである。第２の目的は、サムターンの摘み部の形態を、自由にデザインをすることができることである。第３の目的は、サムターンを構成する部品点数を少なくすることである。
【００１０】
第４の目的は、屋外から合鍵で施錠した際に、確実に摺動ラックがサムターンをロックすることである。第５の目的は、室内側からサムターンを施錠方向に回しても、その解錠には何らの支障も生じないことである。第６の目的は、各部材を合理的に組み合わせることである。なお、付加的に目的の一つとして、緊急時に室内からラックの係合状態を解除することができることである。
【００１１】
【課題を解決するための手段】
本発明の防犯サムターンのロック装置は、サムターン座構成部材３０に、駆動歯車８を有すると共に、合鍵１の操作によって所定量回動する駆動芯材部材と、前記駆動歯車に噛合する伝動歯車１２を備えたサムターンと、前記駆動芯材部材の駆動力によって施錠方向へ回動するように配設された従動ピニオン９と、該従動ピニオンと噛合すると共に、前記サムターンに形成した被係合部１６と係脱可能な係合部１８を有する摺動ラック１７とをそれぞれ設け、外出時に合鍵１を操作してシリンダ錠２の内筒体２ｂを施錠方向へ回すと、前記駆動芯材部材の駆動力によりサムターンが所定量回動すると共に、ラックがサムターンに係合する方向へと摺動し、ラックの係合部１８がサムターンの被係合部に係止状態に係合することを特徴とする。
【００１２】
上記構成に於いて、室内からサムターンの摘み部１５ａを施錠方向へと操作した場合に於いて、伝動歯車１２を介して駆動芯材部材が回動しても、従動ピニオン９が回動しないように、該従動ピニオン９に駆動芯材部材の駆動芯材の挿入端部に対して周方向に所要の間隙１０ａを有する嵌合凹所１０が設けられていることを特徴とする。また、駆動芯材部材は、シリンダ駆動軸と一体的な長杆状の駆動芯材６と、この駆動芯材６に一体的に外嵌合した状態でサムターンダルマに一端部が設けられている共に、他端部に駆動歯車を一体的に備えたサムターンコアとから成ることを特徴とする。さらに、サムターンの被係合部は、摘み部１５ａの前面から突出する軸部に形成された切欠凹所であり、一方、ラックの係合部１８は、ラックの一端部に鉤状に形成された係合片であることを特徴とする。
【００１３】
【発明の実施の形態】
図１乃至図６を参照にして本発明の一実施例について説明する。まず、本発明に関係する構成部材について、簡単に符号を付す。次に本発明の作用・機能を中心に構成を説明する。
【００１４】
Ｘは防犯サムターンのロック装置、１は錠前用の合鍵、２はシリンダ錠、３は建具の扉、４はシリンダ用の取付け固定筒である。５は駆動芯材部材で、本実施例では、駆動芯材６と、駆動歯車８を備えたサムターンコア７で構成されている。９は従動ピニオン、１０は従動ピニオンに形成した係合或いは嵌合凹所、１１はサムターンダルマ、１２は伝動歯車で、この伝動歯車１２はサムターン１５と結合する。
【００１５】
サムターン１５は本発明の特定要件である係合部或いは被係合部１６を有する。一方、１７は従動ピニオン９に噛合するスライドラック（以下、「ラック」と称する）で、このラック１７は、本発明の特定要件である被係合部或いは係合部１８を有する。３０はサムターン座構成部材である。その他の付加的構成要件については、最後に簡単に説明する。
【００１６】
本発明の本質部分を理解するために、主に図１及び図２を参照にすると共に、本発明の作用・機能を中心に構成を説明する。なお、図２は、あくまでも本発明の説明図であるから、各部材の回転位置に関して整合性はない（説明の便宜上、サムターンの被係合部も見せている）。
【００１７】
まず、外出時に合鍵１を操作してシリンダ錠２の内筒体２ｂを施錠方向へ回す場面から説明する（図４では矢印Ａ方向）。シリンダ錠２は、図１で示すように扉３に取付けられている。シリンダ錠２は、扉３に固定的に設けられた外筒体２ａ、合鍵１の操作によって所定量回動する内筒体２ｂ、図示しないシリンダ駆動軸、障害子等を有する。なお、符号ａは取付け固定筒４に外嵌合する飾りキャップ体である。符号ｂは図示しない錠箱内に固定的に設けられた第１支持材で、この第１支持部材ｂにはシリンダダルマｃが回動可能に設けられている。
【００１８】
ここでサムターン装置を構成する部材についても説明すると、符号ｄはサムターン側の取付け固定筒、ｅは前述したサムターンダルマ１１を回動可能に支持する第２支持座材である。シリンダダルマｃとサムターンダルマ１１は一体でも別体でも良い。ｆはサムターンを操作すると、錠箱のフロントから突出するデッドボルトである。なお、本発明の特定（必須）要件に関係のない部分は、ポイント理解の便宜上、極力省略してある。
【００１９】
さて、合鍵１を内筒体２ｂの中に差込み、施錠方向に回転すると、周知のようにシリンダ錠２の内筒体２ｂは、施錠方向へ所定量回転する。前記内筒体２ｂが回転すると、図示しないシリンダ駆動軸の後端部と一体的（例えば係合、固定など）な長杆状駆動芯材６が一緒に同方向に回転する。この点従来と同様である（キーを施錠方向に操作すると、サムターンも施錠方向へ回転する点）。
【００２０】
駆動芯材６は、図２で示すように、全体としてやや十手状に形成されている。その係合先端部６ａは、親指と人差し指とを大きく開いたような格好をし、シリンダ駆動軸の後端部と一体的に係合している。係合先端部６ａから延びる角型長杆部６ｂは、駆動芯材６と共に駆動芯材部材を構成するサムターンコア７及び該サムターンコアに一体的に設けられた駆動歯車８をストレートに貫通し、後述するサムターン座構成部材３０内に回動自在に設けられた従動ピニオン９の嵌合凹所１０に係合している。
【００２１】
前記サムターンコア７は、長い角管状に形成され、その一端端部７ａはサムターンダルマ（デッドカム）１１の異径孔、角孔等の嵌合孔に嵌入している。一方、他端部７ｂは、前述した駆動歯車８の筒状取付け部８ａと一体である。駆動歯車８は、サムターン座構成部材に嵌合支持される前記取付け部８ａと、この取付け部８ａの他端部に設けられた歯部８ｂとから成る。
【００２２】
図４は、ラックのサムターンに対するロックが解消している状態の図面であり、合鍵１の操作により、駆動芯材６及び駆動歯車８は矢印Ａ（反時計方向）、伝動歯車１２は矢印Ｂ（時計方向）、ラック１７は矢印Ｃ（下降方向）へそれぞれ回転ないし移動する初期時の説明図である。この図面から明らかなように、前記駆動芯材６が水平状態の場合には、デッドボルトが錠箱内へ後退した解錠状態であることを示唆している。これに対して、図５は駆動歯車及び伝動歯車１２がそれぞれ所定量回動し、ラック１７が下降したラックロック、デッドボルトが突出した各状態を示している。
【００２３】
そこで、具体的に説明する。角棒状の駆動芯材６が回転すると、該駆動芯材６に外嵌合している筒状サムターンコア７及びコアの駆動歯車８が同方向に回転する。このように、該サムターンコア７と一体の駆動歯車８が回転すると、駆動歯車８と噛合う伝動歯車１２並びに駆動芯材６の貫通端部に係合する従動ピニオン９は、回転方向は互いに逆であるが、それぞれ同時に回転する。
【００２４】
伝動歯車１２は中心部に取付け用係合孔１３を有し、この係合孔１３にサムターン１５の小突起部１５ｃが一体的に係合する。サムターン１５は、室内側から操作することができる摘み部１５ａと、この摘み部１５ａの前面から突出する軸部１５ｂと、この軸部１５ｂの前面から突出する小突起部１５ｃとを有し、前記小突起部１５ｃが伝動歯車１２の取付け用係合孔１３に貫通状態に係合する。
【００２５】
そして、前記軸部１５ｂの所定部位には、被係合部（切欠凹所、溝、穴、等）１６が形成されている。この被係合部１６は、サムターン構成部材内に上下方向にスライド自在に設けられたラック１７の係合部（単数又は複数の鉤状係合片）１８と係合する。
【００２６】
ラック１７は、本実施例では、サムターン座構成部材３０に案内される縦長板のスライダーである。ラック１７の上端部には、下向き鉤状係合部（突片）１８が形成されている。また、板状中心部の上部から下部にかけて垂直案内長孔１９が形成されている。さらに、板状の一側端の下部側には、従動ピニオン９の歯部２０と噛合するラック歯２１が形成されていると共に、その他側端の適宜個所には、クリック手段４０と係合する小係合溝２２が所要間隔を有して２個形成されている。
【００２７】
しかして、前記伝動歯車１２は、サムターン１５と共に駆動歯車８の反対方向Ｂ（図２では時計方向）に回転し、サムターン１５の被係合部１６は、ラック１７の係合部１８と係合可能な位置へと移行する。一方、従動ピニオン９は、駆動芯材６によって駆動歯車９と同方向へ回転する。
【００２８】
その結果、従動ピニオン９と噛合するラック１７がサムターン１５と係合する方向へ摺動し、ラックの係合部１８がサムターン１５の被係合部１６にロック状態に係合する。なお、合鍵１を解錠方向へ操作した場合には、防犯サムターンのロック装置Ｘのシリンダ錠２とサムターン１５は互いに連動関係に構成されているから、逆の作動態様となる。
【００２９】
ところで、サムターン１５とシリンダ錠２の内筒体２ｂとは、駆動芯材６、駆動歯車８、伝動歯車１２等を介して連動しているから、外出時、屋外からシリンダ錠２を操作して錠前を施錠すると、上述したようにサムターン１５がロック状態になる。したがって、もし、仮にサムターン側（室内）から、その摘み部１５ａを操作して施錠した場合にもラックが係合方向へ移動（本実施例では下降）し、その結果、その後、サムターン側から解錠できなくなるのではないか、という疑問が生ずる。
【００３０】
そこで、本発明では、従動ピニオン９に対して駆動芯材６の長杆部６ｂの挿入端部との係合関係を考慮し、該従動ピニオン９の歯部２０に、合鍵操作による施錠時、駆動する側の部材（例えば駆動芯材６）に係合するが、逆に、サムターンの摘み部による施錠時に前記駆動する部材には係合しない非真円形状の嵌合凹所１０を形成している。
【００３１】
つまり、駆動する側の部材６によって動かされる従動側の部材には、周方向に所要の間隙１０ａを有する嵌合凹所１０が設けられている。前記間隙１０ａは、例えば扇形状の切欠を二つ、左上方と右下方に対象的に連通した横向き凹所である。
【００３２】
この点について敷衍すれば、駆動芯材６の挿入端部と従動ピニオン９の嵌合凹所１０を形成する内壁面とは、シリンダ錠２に合鍵１を差し込んで駆動芯材６を回した時には、従動ピニオン９は該駆動芯材６に回される係合関係にある反面、サムターン１５の摘み部１５ａを摘んで施錠方向に回した場合には、たとえサムターン側の伝動歯車１２、該伝動歯車は噛合する駆動歯車８等を介して駆動芯材６が回転し、その結果、デッドボルトが受け金具に突出係合しても（施錠状態になったとしても）、前記駆動芯材６の板状挿入端部は、嵌合凹所１０の間隙１０ａ内を所定量回転するだけであるから、従動ピニオン９は回転しない（図６を参照）。図６では、解錠状態からサムターンを回して錠前を施錠状態にした場合、駆動芯材６が従動ピニオン９の嵌合凹所１０内を矢印Ａ方向に所定量空転した状態を示している。駆動芯材６が空転した場合には、当然、従動ピニオン９及びラック１７は何らの影響も受けない。であるから、サムターン側からも自由に施・解錠することができる。
【００３３】
このように、本実施例では、シリンダ錠２に合鍵１を差し込み、駆動芯材６を回転させた場合には、伝動歯車１２のみならず、従動ピニオン９も同時に回転してラック１７は係合する方向へと移動するが、逆に、サムターン側から摘み部１５ａを操作した場合には、伝動歯車１２、駆動歯車８、サムターンコア７、駆動芯材６等は回転するものの、従動ピニオン及びラック１７は作動しないように工夫されている。
【００３４】
次に、図１、図４、図５を参照にしてサムターン座構成部材３０について説明する。サムターン座構成部材３０は、扉３の内壁３ａに取付けられるサムターンホルダ３１と、このサムターンホルダ３１の内壁面に固定的に添設され、かつ、駆動芯材部材５の他端部（例えば駆動歯車８の取付け部８ａ）を嵌合状態で支持するサムターン蓋３２と、該サムターン蓋３２と結合すると共に、内部空間３４に前記駆動芯材部材５の駆動歯車８、サムターン１５の伝動歯車１２、従動ピニオン９及びラック１７をカバーするケース状の座本体３３とから成る。
【００３５】
また、図４、図５に示すように、本実施例では、左右勝手を考慮したクリック手段４０用の収納凹所３５．３５が左右に１対設けられている。クリック手段４０は、クリックバネ（コイルスプリング）４０ａと、クリックバネ４０ａに付勢されるクリックボール４０ｂとから成るが、座本体３３には、ラックの小係合溝２２．２２と選択的に係合するクリック手段４０用の収納凹所が水平方向に形成されている。
【００３６】
さらに、前記収納凹所３５の少なくとも一つを基準にして座本体３３の内壁面には、ラック１７の垂直案内長孔１９と係合する上下のガイドピン３６．３６が突設されている。なお、前記収納凹所３５．３５並びに上下のガイドピン３６．３６は、左右勝手を考慮して左右に１対設けられている。
【００３７】
【実施例】
本実施例では、サムターン１５の被係合部１６は、摘み部１５ａの前面から突出する軸部１５ｂに形成された切欠凹所であり、一方、ラック１７の係合部１８は、ラックの一端部に鉤状に形成された係合片であるが、係合関係に関しては、サムターン１５の方に係合突起を設け、一方、ラック１７の方に前記係合突起に係合する係合溝を設けても良い。また、前記被係合部１６及び係合部１８の数についても任意に設計変更可能である。
【００３８】
図７及び図８は、一実施例に付加的要件を加味した実施例である。この実施例では、サムターン座構成部材３０のケース状の座本体３３に、室内から従動ピニオンを操作することができる程度の緊急用開口４５が形成されている。そして、この緊急用開口４５に開閉自在又は取り外し可能な補助蓋板が設けられている。
【００３９】
この実施例では、普段は緊急用開口４５から解錠されないように、補助蓋板４６が固着具４７を介して固定的に取付けられている。このように構成すると、故障の際、或いは緊急時に補助蓋板４６を取り外し、緊急用開口４５から見える従動ピニオンを指やドライバで適宜に回し、ラックとサムターンとの係合関係を良好状態に直すことができる。
【００４０】
【発明の効果】
以上の説明から明らかなように、本発明にあっては、次に列挙するような効果がある。
（１）外出時に、屋外からシリンダに合鍵を差し込んで施錠方向へ回すだけで、自動的にサムターンにロックがかかる。したがって、サムターン回しを防止することができる。
（２）サムターンの摘み部の形態を、自由にデザインをすることができる。
（３）サムターンを摘み部と、摘み部から突出する軸部に設けられた伝動歯車で構成することができるから、サムターンを構成する部品点数を少なくすることができる。
（４）屋外から合鍵で施錠した際に、摺動ラックが、サムターンの被係合部にストレートに移動（例えば下降）して、その鉤状の先端部が係合するから、サムターンを確実にロックすることができる。
（５）室内側からサムターンを施錠方向に回しても、従動ピニオンがそのまま動かないので、ロック片としてのラックは係合する方向へ移動しない。したがって、サムターンの解錠には何らの支障も生じない。
（６）駆動芯材部材は、シリンダ駆動軸と一体的な長杆状の駆動芯材と、この駆動芯材に一体的に外嵌合した状態でサムターンダルマに一端部が設けられている共に、他端部に駆動歯車を一体的に備えたサムターンコアとから成るので、各部材を合理的に組み合わせることができる。
（７）その他の実施例によっては、クリック感が得られる、緊急時に室内側からロック状態を解除することができる、左右勝手に対応することができる等の利点がある。
【図面の簡単な説明】
図１乃至図６は本発明の一実施例を示す各説明図。図７及び図８は、一実施例に付加的要件を加味した実施例を示す各説明図。
【図１】実施の形態を示す概略断面説明図（ラックとサムターンとは係合状態）。
【図２】説明の便宜上、各部材を分解斜視から示した説明図。
【図３】図１の要部を示した概略説明図。
【図４】シリンダ錠側（屋外）から見た場合のラックと他の部材との位置を示す説明図（初期の状態）。
【図５】シリンダ錠側（屋外）から見た場合のラックと他の部材との位置を示す説明図（ラックがサムターンに係合したロック状態）。
【図６】要部（駆動芯材と従動ピニオン：駆動芯材が空転した状態）の概略説明図。
【図７】一実施例に付加的要件を加味した概略断面説明図。
【図８】室内側から見た説明図。
【符号の説明】
Ｘ…防犯サムターンのロック装置、１…合鍵、２…シリンダ錠、３…扉、５…駆動芯材部材、６…駆動芯材、７…サムターンコア、８…駆動歯車、９…従動ピニオン、１０…嵌合凹所、１０ａ…間隙、１１…サムターンダルマ、１２…伝動歯車、１５…サムターン、１６…被係合部、１７…ラック、１８…係合部、３０…サムターン座構成部材、３３…座本体、３６…ガイドピン、４０…クリック手段、４５…緊急用開口、４６…補助蓋板、４７…固着具。
【図１】
2005036418.tif 000003
【図２】
2005036418.tif 000004
【図３】
2005036418.tif 000005
【図４】
2005036418.tif 000006
【図５】
2005036418.tif 000007
【図６】
2005036418.tif 000008
【図７】
2005036418.tif 000009
【図８】
2005036418.tif 000010